(57)【要約】【課題】  一端に筒状口部を有していてその筒状口部にゴム栓を直に圧入して密封する簡素な構成であるにもかかわらず、筒状口部にゴム栓が確実に抜け止め及び落ち込み止め保持される構成の薬液用プラスチック容器及びその製造方法を提供する。【解決手段】  薬液用プラスチック容器１は、一端に筒状口部２を有し、この筒状口部２にゴム栓６を圧入して密封する構成のものである。筒状口部２の内面には、環状の突起５が形成されている。ゴム栓６はその外径が筒状口部２の内径よりやや大きく大きく構成されている。筒状口部２に圧入したゴム栓６は突起５に当たる部分の圧縮変形により突起５に噛み合って、筒状口部２にゴム栓６が抜け止め及び落ち込み止め保持される構成である。【選択図】        図１
2007229184.tif 000002
【特許請求の範囲】
【請求項１】
一端に筒状口部を有し、この筒状口部にゴム栓を圧入して密封する薬液用プラスチック容器であって、
筒状口部の内面には環状の突起が形成されており、
ゴム栓はその外径が筒状口部の内径よりやや大であり、
筒状口部に圧入したゴム栓は上記突起に当たる部分の圧縮変形により突起に噛み合って、筒状口部にゴム栓が抜け止め及び落ち込み止め保持される構成である
ことを特徴とする薬液用プラスチック容器。
【請求項２】
ゴム栓はその筒状口部に圧入する部分が凹状に形成されており、かつ天面を凹部にして薄肉状に形成されていることを特徴とする請求項１記載の薬液用プラスチック容器。
【請求項３】
一端に筒状口部を有し、この筒状口部にゴム栓を圧入して密封する薬液用プラスチック容器をブロー成形する方法であって、
分割金型の筒状口部を成形する部分には、分割金型を閉じた状態で環状をなす突起が形成されており、
分割金型間にパリソンを配置してパリソン内に圧力流体を吹き込み、
前記環状をなす突起により筒状口部の内面に環状の突起を形成する
ことを特徴とする薬液用プラスチック容器の製造方法。
【発明の詳細な説明】
【技術分野】
【０００１】
本発明は、糖質輸液剤、電解質輸液剤、血漿増量剤、浸透圧利尿剤、アミノ酸輸液剤、脂肪乳剤、高カロリー輸液剤等の静脈注射用輸液や、結腸栄養剤、高蛋白栄養剤、成分栄養剤、流動食等の結腸的高カロリー栄養剤等の薬液用プラスチック容器及びその製造方法に関するものである。
【背景技術】
【０００２】
一端に筒状口部を有していてその筒状口部にゴム栓を直に圧入して密封する薬液用プラスチック容器は、特公昭５７−５３１８４号公報に記載されているように広く知られている。なお、薬液用プラスチック容器において、口部に溶着する栓体にゴム栓を内包した構成のものとしては、特許第２９３４７７７号公報、特許第３１８２６１８号公報、及び特開平５−７６５８０号公報に開示されており、ブロー成形金型の筒状口部を成形する部分に筒状口部の内径を規制する打ち込みピンを打ち込み、その打ち込みピンを介してパリソン内に圧力流体を吹き込んで容器を成形するブロー成形方法は、特公平８−１３５０３号公報に記載されている。
【特許文献１】特公昭５７−５３１８４号公報
【特許文献２】特許第２９３４７７７号公報
【特許文献３】特許第３１８２６１８号公報
【特許文献４】特開平５−７６５８０号公報
【特許文献５】特公平８−１３５０３号公報
【発明の開示】
【発明が解決しようとする課題】
【０００３】
この種の薬液用プラスチック容器は、輸液時にゴム栓に輸液管を装着した注射針を射し込むので、筒状口部を密封するゴム栓が注射針の射し込みと抜き取りがし易い柔軟なものであっても、ゴム栓が注射針の射し込み時に落ち込まないことと、注射針の抜き取り時に抜け落ちが生じないことが肝要であるうえ、衛生上の面及び使用後の廃棄物処理上の面から、ゴム栓およびその装着のための栓構造もできるだけ簡素なものであることが近時ことに要求されている。
【０００４】
そこで本発明は、一端に筒状口部を有していてその筒状口部にゴム栓を直に圧入して密封する簡素な構成であるにもかかわらず、筒状口部の内面には環状の突起を形成して筒状口部に圧入したゴム栓は上記突起に当たる部分の圧縮変形により突起に噛み合うようにしたことにより、筒状口部にゴム栓が確実に抜け止め及び落ち込み止め保持される構成の薬液用プラスチック容器及びその製造方法を提供することを目的とするものである。
【課題を解決するための手段】
【０００５】
上記目的を達成するための本発明の請求項１に係る薬液用プラスチック容器は、一端に筒状口部を有し、この筒状口部にゴム栓を圧入して密封する薬液用プラスチック容器であって、筒状口部の内面には環状の突起が形成されており、ゴム栓はその外径が筒状口部の内径よりやや大であり、筒状口部に圧入したゴム栓は上記突起に当たる部分の圧縮変形により突起に噛み合って、筒状口部にゴム栓が抜け止め及び落ち込み止め保持される構成であることを特徴とするものである。
【０００６】
本発明の請求項２に係る薬液用プラスチック容器は、請求項１記載の構成において、薬液用プラスチック容器ゴム栓はその筒状口部に圧入する部分が凹状に形成されており、かつ天面を凹部にして薄肉状に形成されていることを特徴とするものである。
【０００７】
また、本発明の請求項３に係る薬液用プラスチック容器の製造方法は、一端に筒状口部を有し、この筒状口部にゴム栓を圧入して密封する薬液用プラスチック容器をブロー成形する方法であって、分割金型の筒状口部を成形する部分には、分割金型を閉じた状態で環状をなす突起が形成されており、分割金型間にパリソンを配置してパリソン内に圧力流体を吹き込み、前記環状をなす突起により筒状口部の内面に環状の突起を形成することを特徴とするものである。
【発明の効果】
【０００８】
本発明によれば、一端に筒状口部を有していてその筒状口部にゴム栓を直に圧入して密封する簡素な構成であるにもかかわらず、筒状口部の内面には環状の突起を形成して筒状口部に圧入したゴム栓は上記突起に当たる部分の圧縮変形により突起に噛み合うようにしたことにより、筒状口部にゴム栓が確実に抜け止め及び落ち込み止め保持される構成の薬液用プラスチック容器を得ることができる。
【発明を実施するための最良の形態】
【０００９】
図１は本発明の一実施の形態に係る薬液用プラスチック容器の一部を示す断面図、図２は同上全体の正面図、図３は本発明の一実施の形態に係る薬液用プラスチック容器のブロー成形態様を示す一部の断面図である。
【００１０】
図１及び図２において、１は薬液用プラスチック容器であって、その一端には筒状口部２を有しており、３は胴部、４は底部である。底部４には容器を倒立姿勢に吊り下げるための吊り具を備えている（図示せず）。薬液用プラスチック容器１は、低密度ポリエチレン（ＬＤＰＥ）、直鎖状低密度ポリエチレン（ＬＬＤＰＥ）、高密度ポリエチレン（ＨＤＰＥ）、ポリプロピレンなどのポリオレフィン系樹脂、エチレン・酢酸ビニル共重合体（ＥＶＡ）、ポリ塩化ビニル（ＰＶＣ）、アイオノマー樹脂、各種熱可塑性エラストマー及びこれらの２種以上の混合物などの軟質樹脂により形成される。
【００１１】
薬液用プラスチック容器１において、筒状口部２の内面には環状の突起５が形成されている。この突起５は筒状口部２の内面全周にわたって環状に形成されており、突起５は内方に向けてなだらかな曲面の膨出状を呈している。６はゴム栓である。このゴム栓６は、その外径が筒状口部２の内径よりやや大きく形成されており、筒状口部２に圧入したゴム栓６は上記突起５に当たる部分の圧縮変形により突起５に噛み合って、ゴム栓６は筒状口部２に抜け止め及び落ち込み止め保持される。ゴム栓６はその筒状口部２に圧入する部分が凹状部７をなすように凹状に形成されており、かつ天面も凹状にして薄肉部８が形成されている。ゴム栓６は天面の薄肉状にした薄肉部８に輸液管を装着した注射針を射し込むが、ゴム栓６の注射針を射し込む部分が薄肉状であるから、注射針の射し込み及び抜き取りが容易である。ゴム栓６は筒状口部２に圧入し易いように柔軟なものであることが好ましい。なお、図示の実施の形態おいては、筒状口部２の開口端にフランジ部９を形成してあり、ゴム栓６もフランジ部９に対応する形状に形成されているが、これらは本発明において必須の構成ではない。
【００１２】
本発明に係る薬液用プラスチック容器１は、図３に示すようにブロー成形される。図３において、１０、１０は分割金型であって、分割金型１０、１０の筒状口部２を成形する口部成形キャビティ１１には、分割金型１０、１０を閉じた状態で環状をなす突起部１２が形成されている。この突起部１２は薄板状に突出する形態のものであって、口部成形キャビティ１１の長手方向のやや開口端寄りに設けられている。筒状口部２の内面に形成される環状をなす突起５は、後述するように薬液用プラスチック容器１のブロー成形とともに形成されるので、筒状口部２には突起５に対応して細溝状の凹状リブ１３が形成される。このため筒状口部２は特にその突起５の部分で剛性が向上し、筒状口部２にゴム栓６を圧入する際にも筒状口部２に撓みや変形歪みが生じないので、筒状口部６にゴム栓６を容易に圧入することができる。
【００１３】
図３に示すように、分割金型１０、１０間にパリソン１４を配置し、次いで分割金型１０、１０を閉じてパリソン１４内に圧力流体を吹き込み、薬液用プラスチック容器１のブロー成形とともに環状をなす突起部１２により筒状口部２の内面に環状の突起５を成形する。ブロー成形された薬液用プラスチック容器１は、筒状口部２が頭部１５により封止されたおり、筒状口部２と頭部１５との境には頭部１５を切除するための切除線（環状の窪み）１６が形成されている。ブロー成形された薬液用プラスチック容器１は、筒状口部２が頭部で封止されていので衛生的に保たれる。薬液用プラスチック容器１に薬液を充填する際には頭部２を切除線１７から切断して筒状口部２を開口し、薬液を充填した後は筒状口部２にゴム栓６を圧入して図１に示すように封止する。
【００１４】
図３に示すように、金型１０、１０の突起部１２は、その厚み幅に対して起立高さが大であって、ブロー成形時に突起６が薄幅状であっても比較的起立高さが大きく形成されるので、筒状口部２に圧入したゴム栓６が突起５により確実に噛み込んだ状態となって、筒状口部２に対してゴム栓６を確実に抜け止め及び落ち込み止め保持することができる。
【００１５】
本発明において、筒状口部２の内面に形成する環状をなす突起５は、それが必ずしも全周にわたるものでなくてもよく、２以上の複数の円弧状に形成された突起とすることができる。また、環状をなす突起５は、必ずしも１条でなく２条以上の複数条にしてゴム栓６に対する噛み合い状態を向上させることもできる。
【図面の簡単な説明】
【００１６】
【図１】本発明の一実施の形態に係る薬液用プラスチック容器の一部を示す断面図である。
【図２】同上全体の正面図である。
【図３】本発明の一実施の形態に係る薬液用プラスチック容器のブロー成形態様を示す一部の断面図である。
【符号の説明】
【００１７】
１  薬液用プラスチック容器
２  筒状口部
３  胴部
４  底面
５  環状の突起
６  ゴム栓
７  凹状部
８  薄肉部
９  フランジ部
１０、１０  分割金型
１１  口部成形キャビティ
１２  突起部
１３  凹状リブ
１４  パリソン
１５  頭部
１６  切除線
【図１】
2007229184.tif 000003
【図２】
2007229184.tif 000004
【図３】
2007229184.tif 000005